(57)【要約】【課題】  移動式で防臭機能を具備しコンパクトな水洗トイレ装置を提供する。【解決手段】  給水ホース１を接続した大便器２と、大便器と排便ホース４を介して連通する密閉便槽３と、密閉便槽に内設された破砕機付水中ポンプ５と、密閉便槽に内設されかつ破砕機付水中ポンプを作動させる信号を出力する水位検知器７と、破砕機付水中ポンプに接続されかつ密閉便槽の外部へ導出された排出ホース６とを一枚の装置固定台８の上に搭載することにより設置場所を移動可能としたトイレ装置において、密閉便槽内の圧力が外部の圧力より同圧及び正圧のときに閉状態となり負圧のとき開状態となる通気弁３ｂを密閉便槽に取り付ける。【選択図】  図１
2006342652.tif 000002
【特許請求の範囲】
【請求項１】
給水ホース(１)を接続した大便器(２)と、前記大便器と排便ホース(４)を介して連通する密閉便槽(３)と、前記密閉便槽に内設された破砕機付水中ポンプ(５)と、前記密閉便槽に内設されかつ前記破砕機付水中ポンプを作動させる信号を出力する水位検知器(７)と、前記破砕機付水中ポンプに接続されかつ前記密閉便槽の外部へ導出された排出ホース(６)とを一枚の装置固定台(８)の上に搭載することにより設置場所を移動可能としたトイレ装置において、前記密閉便槽内の圧力が外部の圧力と比べて同圧及び正圧のときに閉状態となり負圧のとき開状態となる通気弁(３ｂ)を前記密閉便槽に取り付けたことを特徴とする移動式防臭水洗トイレ装置。
【請求項２】
前記密閉便槽内を２つの区画に仕切るべく該密閉便槽の底面上に立設された仕切り板(９)を有し、前記仕切り板の断面形状が前記排便ホース(４)側に向いた開口部と該開口部の反対側にて前記破砕機付水中ポンプ(５)を囲包する円弧部とを具備し、前記仕切り板の下端部(９ｂ)に前記２つの区画の間を連通させる１または複数の連通孔(９ａ)を設け、かつ前記仕切り板(９)により仕切られた一方の区画に前記破砕機付水中ポンプ(５)が配置され、かつ他方の区画に前記水位検知器(７)が配置されることを特徴とする請求項１に記載の移動式防臭水洗トイレ装置。
【請求項３】
前記破砕機付水中ポンプ(５)が支持脚(ｂ)を介して前記密閉便槽の底面上に立設され、かつ該水中ポンプの吸引開口部の開口端面が密閉便槽３の底面に対して平行であることを特徴とする請求項１または２に記載の移動式防臭水洗トイレ装置。
【発明の詳細な説明】
【技術分野】
【０００１】
本発明は、歩行が困難なために住宅や特別養護老人ホームなどの一般の固定式トイレまで行くことが不可能な場合に、寝室などの居室空間で快適に排便できる移動式の防臭水洗トイレ装置に関する。
【背景技術】
【０００２】
現在、住宅や特別養護老人ホームなどに備わっている一般の固定式トイレの汚物排出管は、直径１００ｍｍ程度の太い樹脂製の管でできている。例えば特許文献１のようなものがある。特許文献１では、大便器と破砕機と貯留槽とを連設しており、大便器からの屎尿を破砕機で破砕し貯留槽へ圧送する。そして貯留槽から排出管で排出される。また、貯留槽から屋外まで延びる通気管を配管しており、この通気管を介して外部へと臭いを排出する。さらに特許文献１では、大便器と破砕機を連通する排便管を具備し、排便管と貯留槽との間を連通管で連結することにより、排便管内に空気溜が発生することを防止し、大便器内の汚物を完全に洗浄排出する。
【０００３】
また、従来は、汚物貯留槽を具備する携帯用簡易トイレも広く利用されている。
【０００４】
特許文献２及び３の移動式水洗トイレでは、便器と、水中ポンプを内蔵した汚水タンクとを有し、水中ポンプに排泄物を破砕する回転刃を設け、水中ポンプの吸引開口部が汚水タンクの底面に対して傾斜している。
【特許文献１】特開平７−２０７７３０号公報
【特許文献２】特開２００５−７６２８０号公報
【特許文献３】特開２００５−１５５２５６号公報
【発明の開示】
【発明が解決しようとする課題】
【０００５】
しかしながら、特許文献１では、通気管を屋外まで配管するため工事が必要となる。加えて、固定式の場合、使い勝手が悪く、簡単に別の場所に移動させることはできない。さらに、比較的大きな破砕機を大便器と貯留槽との間に設置しているので広い床面積を専有してしまうことになる。
【０００６】
また、汚物貯留槽を具備する携帯用簡易トイレは、住宅や特別養護老人ホームなどの寝室で使用すると、排泄後の汚物停滞時間が長くなり室内への悪臭の放散量が多くなる。さらに、介護者に汚物処理を依存することになり、介護者及び要介護者双方にとって精神的に多大な負担となる。汚物処理にも時間を要する。
【０００７】
さらに、特許文献２及び３のように、汚水タンク内に破砕回転刃付き水中ポンプを傾斜させて設けた場合には、水中ポンプが揺動する虞があって不安定であり、特定の方向に傾斜していることから汚物が効率的に水中ポンプの方へ収集され難いという問題点がある。
また、水中ポンプが汚物を吸引するにつれて汚水タンク内の水位が低下し、そして水位が水中ポンプの吸引開口部より下がると空気を吸い込み異音がするため、通常は吸引停止水位を吸引開口部より上に設定するが、水中ポンプが傾斜している場合は、傾斜している分だけ吸引停止水位を高く設定せざるを得ない。その結果、汚水タンク内の残留汚水の量が多くなってしまうという問題点もある。
さらにまた、水位センサを汚水タンク内に設ける場合、汚物と共に汚水タンク内に引き込まれたトイレットペーパーが水位センサに絡まってしまうという問題点もあった。
【０００８】
以上の現状に鑑み、本発明は、寝室などの居室空間に容易に設置したり、撤去したりすることができる移動式であって、特に確実な防臭を実現したコンパクトな構造の水洗トイレ装置を提供することを目的とする。
【課題を解決するための手段】
【０００９】
上記の目的を達成するべく本発明は以下の構成を提供する。
（１）請求項１に係る移動式防臭水洗トイレ装置は、給水ホースを接続した大便器と、前記大便器と排便ホースを介して連通する密閉便槽と、前記密閉便槽に内設された破砕機付水中ポンプと、前記密閉便槽に内設されかつ前記破砕機付水中ポンプを作動させる信号を出力する水位検知器と、前記破砕機付水中ポンプに接続されかつ前記密閉便槽の外部へ導出された排出ホースとを一枚の装置固定台の上に搭載することにより設置場所を移動可能としたトイレ装置において、前記密閉便槽内の圧力が外部の圧力と比べて同圧及び正圧のときに閉状態となり負圧のとき開状態となる通気弁を前記密閉便槽に取り付けたことを特徴とする。
【００１０】
（２）請求項２に係る装置は、請求項１において、前記密閉便槽内を２つの区画に仕切るべく該密閉便槽の底面上に立設された仕切り板を有し、前記仕切り板の断面形状が前記排便ホース側に向いた開口部と該開口部の反対側にて前記破砕機付水中ポンプを囲包する円弧部とを具備し、前記仕切り板の下端部に前記２つの区画の間を連通させる１または複数の連通孔を設け、かつ前記仕切り板により仕切られた一方の区画に前記破砕機付水中ポンプが配置され、かつ他方の区画に前記水位検知器が配置されることを特徴とする。
【００１１】
（３）請求項３に係る装置は、請求項１または２において、前記破砕機付水中ポンプが支持脚を介して前記密閉便槽の底面上に立設され、かつ該水中ポンプの吸引開口部の開口端面が密閉便槽３の底面に対して平行であることを特徴とする。
【発明の効果】
【００１２】
本発明は、以上のように構成されることにより次の効果を奏する。
（Ａ）請求項１では、密閉便槽に通気弁を取付けたことを特徴とする。この通気弁は、密閉便槽内の圧力が外部の圧力と比べて同圧のとき及び正圧のときには閉状態となることにより密閉便槽内の臭気を完全に遮断する一方、汚物排出によって密閉便槽内の圧力が外部の圧力と比べて負圧となったときには開状態となることにより外部から空気を取り込んで汚物排出を促進する機構を有している。このように、通気弁を密閉便槽に組み込んだことで、本装置を設置した室内に臭気を放散することが確実に防止できると同時に、効率的に汚物を排出することができる。
【００１３】
（Ｂ）また請求項１では、特許文献１における独立した破砕機を省き、その替わりに破砕機付ポンプを密閉便槽の内部に収容しているので、装置全体をコンパクトに構成することができ、専有床面積も節減することができる。また、破砕機付水中ポンプは、密閉便槽に内設された水位検知器の信号で作動して速やかに汚物を圧送するので、長時間の貯留による臭気の室内への放散を防止できる。
【００１４】
（Ｃ）また請求項１では、装置全体を一枚の装置固定台の上に載せたことによって、装置全体が容易に移動できるようになり、寝室などの居室空間に容易に設置したり、撤去したりすることを可能とした。これにより、固定式に比べて非常に使い勝手が良くなる。
【００１５】
（Ｄ）請求項２では、密閉便槽内を２つの区画に仕切る仕切り板を設けかつ仕切り板は断面形状において水中ポンプを円弧部を具備するので、密閉便槽内に引き込まれた汚物は仕切り板の曲面に沿って生じる渦流により水中ポンプへと効率的に収集される。この結果、汚物が密閉便槽内（特に角部）に残留することを防止できる。
【００１６】
（Ｅ）また請求項２では、仕切り板により仕切られた２つの区画のうち、破砕機付水中ポンプの配置される区画とは別の区画に水位検知器が配置されることにより、汚物と共に汚水タンク内に引き込まれたトイレットペーパーが水位センサに絡まって誤動作を生じることを防止できる。
【００１７】
（Ｆ）請求項３では、破砕機付水中ポンプを支持脚を介して密閉便槽の底面上に立設したので、傾斜させて設ける場合に比べて安定に設置でき稼働中に揺動することがない。
【００１８】
（Ｇ）また請求項３では、水中ポンプの吸引開口部を密閉便槽の底面に平行に設けたので、傾斜させて設ける場合に比べて全方向から汚物を吸引できる。加えて、傾斜させて設ける場合に比べて、吸引停止水位を低く設定できるため、密閉便槽内の残留汚水の量を少なくすることができる。
【００１９】
以上の通り、従来、排泄後の後始末は介護者及び要介護者双方に精神的な苦痛を伴っていたが、本発明によりその苦痛を取り除くことのできる移動式防臭水洗トイレ装置が実現された。
【発明を実施するための最良の形態】
【００２０】
以下、本発明の実施の形態について、図面を参照しながら説明する。
図１は、本発明の実施の形態における移動式防臭水洗トイレ装置側面図である。
１は給水ホース、２は公知の脱臭機能付大便器、３は密閉便槽、４は排便ホース、５は密閉便槽内に設けられた破砕機付水中ポンプ、６は排出ホース、７は水位検知器、８は装置固定台である。
図２は、図１のＡ−Ａ拡大断面図である。図３は、図２のＢ−Ｂ断面図である。図４は、密閉便槽３内を仕切る仕切り板９の外観斜視図である。図５は、破砕機付水中ポンプ５部分の状態を説明する拡大図である。
以下、各構成要素を詳細に説明する。
【００２１】
本発明の移動式防臭水洗トイレ装置は、平坦な板である装置固定台８の上に他の構成要素を載置して形成される。以下の説明において、図１の側面図の向かって右側を装置前方とし、向かって左側を装置後方と称することとする。大便器２は、装置固定台８の前方側に配置される。給水ホース１は、大便器２に連結され、水道等から洗浄用の水を供給する。
【００２２】
図１に示すように、大便器２の後方に密閉便槽３が配置される。密閉便槽３は排便ホース４により大便器２と連結されている。図２に示すように、密閉便槽３は、便槽本体３ａと、通気弁３ｂとから構成され、便槽本体３ａは、所定容量の箱体３ａ１と密閉状態の蓋３ａ２とから構成されている。蓋３ａ２には通気弁取付孔ｈ１が穿設され、この通気弁取付孔ｈ１の外部に図１に示す通気弁３ｂが取付けられている。通気弁３ｂは、密閉便槽３内の圧力が外部の圧力と比べて同圧及び正圧のときには閉状態となり、外部の圧力と比べて負圧となったときには開状態となる。
【００２３】
排便ホース４は、密閉便槽３の箱体３ａ１の側壁下方に開口された排便ホース用孔ｈ２と大便器２とを連結している。
【００２４】
排出ホース６は、その一端が破砕機付水中ポンプ５の上端に連結され、他端は外部に引き出されている。
【００２５】
この排出ホース６は、直径１５〜２５ｍｍ程度、好適には２０ｍｍ程度の柔軟なホースであり、耐圧ホースが好適である。従来の直径１００ｍｍの樹脂製管よりも細く柔軟なものとすることができる。これにより、取扱い易く配管作業を容易かつ確実に行なうことができる。また小さな空間に配設できる。さらに、細く柔軟な排出ホース（耐圧ホース）を用いることによって、装置全体を屋内移動させることも容易となる。
【００２６】
図２に示すように、水位検知器７は、蓋３ａ２の下面に取付けられ、密閉便槽３内に垂下状態で配設されている。水位検知機７は、予め設定された水位を検知することにより破砕機付水中ポンプ５を作動させ、かつ停止させる信号を出力する。
【００２７】
破砕機付水中ポンプ５は、吸引用吸引開口部５ａ１の開口端面が密閉便槽３の底面に対して平行に支持されている。これにより、槽内の液体が開口端面を通り円滑にポンプ内に流入することができ、汚物の吸引をより確実に行う。例えば、支持脚ｂは底面上に溶接される一方、破砕機付水中ポンプ５の開口端面周縁には下方に向いた環状溝（図示せず）が設けられており、この環状溝に支持脚ｂの頭部を嵌合させることにより破砕機付水中ポンプ５を固定する。このような固定手段を用いれば、破砕機付水中ポンプ５を容易に交換することができる。
【００２８】
破砕機付水中ポンプ５の開口端面の底面からの高さは、破砕機付水中ポンプ５の下端周縁から鉛直に延在する複数の支持脚ｂの長さにより設定される。開口端面の底面からの高さは、汚物を十分に吸引できる程度の高さを確保する必要がある（例えば、４０mm）。しかしながら、前述の従来技術における傾斜させた水中ポンプの開口端面の最高位置よりも低い位置でよい。これにより、水位検知器７により設定される吸引停止位置を従来よりも低く設定でき、残留汚水を少なくすることができる。
【００２９】
図２において密閉便槽３内には、破線で示す仕切り板９が設けられている。仕切り板９は、密閉便槽３内を２つの区画に仕切るために底面上に立設されている。２つの区画のうちの一方には、破砕機付水中ポンプ５が配置され、他方の区画には水位検知器７が配置されている。水位検知機７を別の区画に配置したことにより、排便ホース４から引き込まれたトイレットぺーパーが水位検知器７に絡むことが避けられる。
【００３０】
図３に示すように、仕切り板９の断面形状は、排便ホース４側に向いた開口部（図の上側）と、この開口部の反対側（図の下側）にて破砕機付水中ポンプ５を囲包する円弧部とを具備する。破砕機付水中ポンプ５は、仕切り板９の円弧部の略中心に配置されるが正確な中心でなくともよく、排便ホース４との位置関係を考慮してやや偏心していてもよい。このように破砕機付水中ポンプ５を配置することにより、水中ポンプが作動したとき仕切り板９の円弧部の曲面に沿って渦流を生じる。そして、排便ホース４から引き込まれた汚物がこの渦流によって破砕機付水中ポンプ５の方へ効率的に収集されていく。
【００３１】
図４に示すように、仕切り板９の下端部には１または複数の連通孔９ａが切り欠かれている。図示の例では、連通孔９ａを形成することにより、仕切り板９の脚部９ｂも形成される。連通孔９ａは、仕切り板９により仕切られる２つの区画の水位を同一に維持するために設けられる。連通孔９ａの大きさは、汚物やトイレットぺーパーが内側の区画から外側の区画へ流出しない程度（例えば、高さ１５mm）に設定される。仕切り板９の全高は、密閉便槽３内の汚水の最高位置より高く設定する。
【００３２】
図５に示すように、破砕機付水中ポンプ５は、水中ポンプ本体５ａの下面に設けた吸引用吸引開口部５ａ１部分にて、同軸上に回転自在に配設された吸引用羽根車５ｂと、この吸引用羽根車の下方に当該吸引用羽根車５ｂと共に回転する粉砕刃５ｃとから構成されている。ｓは吸引用羽根車５ｂの回転軸である。吸引用羽根車の回転により密閉便槽３内の液体を吸引すると同時に粉砕刃５ｃにより塊状の汚物を細かく粉砕する。
【００３３】
次に、以上のように構成された本発明の移動式防臭水洗トイレ装置の動作について説明する。
【００３４】
まず、給水ホース１から供給された水は、電磁弁が内設された大便器２に一時貯まり、汚物とともに排便ホース４を経由して、密閉便槽３に一時貯留される。貯留された汚物は、密閉便槽３に内設された水位検知器７の信号で作動する破砕機付水中ポンプ５によって粉砕され、排出ホース６へと圧送される。
【００３５】
さらにこの場合、密閉便槽３内の圧力が外部の圧力と比べて同圧のとき及び正圧のときには、通気弁３ｂが閉状態となることにより密閉便槽３内の臭気を完全に遮断する一方、汚物排出によって密閉便槽３内の圧力が外部の圧力と比べて負圧となったときには、通気弁３ｂが開状態となることにより外部から空気を取り込んで汚物排出を促進する。このように、通気弁３ｂを密閉便槽３に組み込んだことで、効率的に汚物を排出し、臭気を室内に全く放散しないシステムを構築した。
【図面の簡単な説明】
【００３６】
【図１】本発明による全体の側面図である。
【図２】図１のＡ−Ａ拡大断面図である。
【図３】図２のＢ−Ｂ断面図である。
【図４】密閉便槽内に設けられる仕切り板の外観斜視図である。
【図５】破砕機付水中ポンプ部分の状態を説明する拡大図である。
【符号の説明】
【００３７】
１  給水ホース
２  大便器
３  密閉便槽
３ａ  便槽本体
３ａ１  箱体
３ａ２  蓋
３ｂ  通気弁
４  排便ホース
５  破砕機付水中ポンプ
５ａ１  吸引用吸引開口部
５ｂ  吸引用羽根
５ｃ  粉砕刃
６  排出ホース
７  水位検知器
８  装置固定台
９  仕切り板
９ａ  連通孔
９ｂ  脚部
ｂ  支持脚
ｈ１  通気弁取付孔
ｈ２  排便ホース用孔
ｓ  回転軸
【図１】
2006342652.tif 000003
【図２】
2006342652.tif 000004
【図３】
2006342652.tif 000005
【図４】
2006342652.tif 000006
【図５】
2006342652.tif 000007